(57)【特許請求の範囲】
【請求項１】
画情報を記録するためのロール状記録紙と、該ロール状記録紙が所定長になるまで、搬送路に繰り出す繰り出し手段と、所定長に達した記録紙を切断する切断手段と、該ロール状記録紙の終端を検出する終端検出手段とを有する給紙装置において、
繰り出し及び切断の繰り返しを行う際に、
該終端検出手段が終端を検出するまでに繰り出した長さを（ｌ３）、
該終端検出手段を基点とする画情報記録のために必要な長さを（ｌ４）、
該終端検出手段から該切断手段までの距離を（ｌ１）、
該距離（ｌ１）よりもわずかに長い判断基準となる長さを（ｌ２）としたとき、  記録のために必要な長さ（ｌ４）と繰り出した長さ（ｌ３）との差が（ｌ４−ｌ３）≧（ｌ２）であるときには、
さらに（ｌ４−ｌ３）繰り出したことを確認してから、該切断手段に該ロール状記録紙を切断するように指示する制御手段を備えたことを特徴とする給紙装置。
【請求項２】
請求項１に記載の給紙装置において、
前記制御手段は、記録のために必要な長さ（ｌ４）と繰り出した長さ（ｌ３）との差が（ｌ４−ｌ３）＜（ｌ２）であるときには、
さらに（ｌ２）繰り出したことを確認してから、切断手段にロール状記録紙を切断するように指示することを特徴とする給紙装置。
【発明の詳細な説明】
【０００１】
【産業上の利用分野】
本発明は、ファクシミリ装置、複写機、およびプリンタ装置等に用いられる給紙装置に関し、特に後端余白の長い記録紙の出力頻度を少なくし、かつ短冊が用紙搬送路内に生成されないようにした給紙装置に関するものである。
【０００２】
【従来の技術】
従来より、ファクシミリ装置、複写機およびプリンタ装置等においては、使用する用紙が予め定められているが、通常、他の一般の用紙でも使用できるので、顧客はランニングコストが安いという理由から、純正のサプライ（ロール紙）を使用せずに他の用紙を使用することがある。純正のサプライを使用する場合には、サプライの終端部に印刷されているエンドマークをセンサが検知して、サプライ交換を顧客に通知することが可能である。
すなわち、ファクシミリ装置では、ロール状に巻回された記録紙の終端から少なくとも記録紙１枚分以上の箇所にマークを付し、そのマークを光学的に検知するとともに、その検知の記録動作を最後まで保持している。また、記録紙終端部がスプールから離脱する以前に終端を検出し、記録紙の交換を促す記録紙終端検出装置を備えたものがある（例えば、特公平４−６８８２０号公報参照）。
【０００３】
【発明が解決しようとする課題】
純正以外のサプライには、エンドマークが印刷されていなかったり、印刷位置が異なっていたりする場合が多く、しかもサプライの残量検知手段も無い場合には、サプライがなくなるまで装置が動作を続けてしまう。その場合、最後の転写紙が切断された後、非常に短かい長さのサプライ（以後、短冊と呼ぶ）が生成され、顧客がそれに気がつかない場合には装置内に短冊がそのまま放置されてしまう場合がある。
短冊が放置された場合、サプライが交換された後、放置された短冊がその転写紙（サプライが所定長に切断され、転写のために供給される用紙）に静電気等で貼り付き、転写部に搬送された後、この短冊がはがれると、その部分に写っていた画像がなくなり画像抜けの異常画像となる。
本発明の目的は、このような従来の課題を解消し、ロール紙切れ検知センサがロール紙終端を検知した場合でも、短冊が用紙搬送路内に生成されることがなく、また後端余白が長い記録紙の出力される発生頻度を小さくできる給紙装置を提供することにある。
【０００４】
【課題を解決するための手段】
上記目的を達成するため、本発明の給紙装置は、（イ）画情報を記録するためのロール状記録紙と、該ロール状記録紙が所定長になるまで、搬送路に繰り出す繰り出し手段と、所定長に達した記録紙を切断する切断手段と、該ロール状記録紙の終端または終端部に近づいたことを検出する終端検出手段とを有する給紙装置において、
複数回に分けて給紙を行う際に、該終端検出手段が終端を検出するまでに繰り出した長さを（ｌ３）、画情報記録のために必要な長さを（ｌ４）、該終端検出手段から該切断手段までの距離を（ｌ１）、わずかな長さだけｌ２＞ｌ１であり、判断基準となる長さを（ｌ２）としたとき、記録のために必要な長さとロール紙切れ検知センサが検出した長さとの差が（ｌ４−ｌ３）≧ｌ２であることを判断した後、ｌ４の長さになったことを確認してから、該切断手段に該ロール状記録紙を切断するように指示する制御手段を備えたことを特徴としている。
（ロ）また、前記制御手段は、記録のために必要な長さとロール紙切れ検知センサが検出した長さとの差が（ｌ４−ｌ３）＜ｌ２であるときには、前記終端検出手段が検出した長さと前記判定基準の長さとの和である（ｌ３＋ｌ２）の長さになったことを確認してから、切断手段にロール状記録紙を切断するように指示することも特徴としている。
【０００５】
【作用】
本発明においては、図２に示すように、ロール紙切れ検知センサが終端を検出すると、画情報記録のために必要な長さｌ４になったことを確認してカッターに切断を指示するか、またはセンサが終端を検出していなくても、（ｌ４−ｌ３）≧ｌ２であることを判定した後、ｌ４の長さになったことを確認してからカッターに切断を指示するか、あるいは、（ｌ４−ｌ３）＜ｌ２のときには、（ｌ３＋ｌ２）の長さになったことを確認してから、カッターに切断を指示するようにした。
これにより、ロール紙切れ検知センサがロール紙終端を検知した場合でも、短冊が用紙搬送路内に生成されない。
なお、ロール紙切れ検知センサからカッターまでの距離ｌ１よりもわずかに長いｌ２という判定基準を設けるが、このｌ２は、純正品に対しては、エンドマークを検出した最後の１枚の記録紙長が所定長に切断される確率を少しでも高め、その結果、後端余白が長くなった記録紙が出力される発生頻度を少なくするための判定基準であり、また、純正品以外の記録紙に対しては、短冊が用紙搬送路内に生成されないようにするための判定基準である。
【０００６】
【実施例】
以下、本発明の実施例を、図面により詳細に説明する。
図１は、本発明の一実施例を示すロール紙給紙装置の全体概略図である。
ロール紙ユニットは、ロール状の記録紙１を必要な分だけ切り取って本体に供給する役目を果す。定型カット紙のみ装着の場合には、種々の長さの受信画情報やレポートを印字するには、多くのサイズのカット紙を装着しないと、無駄な余白が生じてしまったり、分割出力されてしまったりするが、ロール紙ユニットは、短い記録紙（Ａ５長）から長尺記録紙（Ａ２長）までを対応することができるので、利便性があるとともに、省スペース化を図ることができる。
ロール紙保持部１２に巻回されたロール紙１は、引出されるとデカールローラ２により巻き癖と逆方向に屈曲される。待機時に強い逆カールが付くことを防止するため、このデカールローラ２は待機時には上方へ逃げる。デカールローラ２の動作は、ソレノイドにより行われる。待機時には、ソレノイドがＯＦＦのため解除された状態にあり、用紙の給紙直後、６００ｍｓｅｃ間、ソレノイドがＯＮする。その後、電流量の切換えにより、デカールローラ２に必要な負荷として、カット後にソレノイドがＯＦＦし、解除される。
繰り出しローラ３と加圧ローラ４の間に挟まれた転写紙の紙送りは、繰り出しローラ３により行われる。従って、ロール紙の交換時には、一度、加圧ローラ４の圧力を解除し、繰り出しローラ３と加圧ローラ４の間に強固に転写紙がくわえ込まれるようにする必要がある。
【０００７】
図１で、８はロール紙切れ検知センサ、９は検知センサ（１）、１０はジャムを検知するための検知センサ（２）であり、５は搬送ローラ（１）、６は搬送ローラ（２）、７は搬送ローラ（３）であり、また１１はカッター、１３，１３′は可動ガイド板である。
ファクシミリ装置への着信文書が一旦メモリ（図示省略）に蓄積されると、その蓄積された着信文書を出力するに必要な所定量だけ転写紙が送られた箇所で、ロール紙１はカッター１１により切断される。カッターユニットは、例えばシャトルカッターを用いている。シャトルカッターは、固定刃、移動刃、モータ、および移動刃の位置検知のためのスイッチから構成される。待機時には、移動刃は左右いずれかのスイッチをＯＮ状態で停止しているが、カットタイミングになると、モータが回転して移動刃を動かしてロール紙１をカットする。切断された転写紙は、搬送ローラ５，６，７により転写部（図示省略）に送られる。この時、転写紙長がある長さを超えると、転写紙先端が転写部に到達してしまうので、切断のためにロール紙給紙モータ（図示省略）を停止させることができない。そこで、搬送ローラ５，７の線速より搬送ローラ６の線速を遅く設定することにより、搬送ローラ５と搬送ローラ６の間に転写紙のループ１４を形成する。
【０００８】
この時のループ量は、ロール紙給紙モータの停止からロール紙切断終了までの間に、転写部において転写紙が搬送される量よりも大きくなければならない。
ループ１４の形成のために、搬送ローラ５，６間の可動ガイド板１３はソレノイドにより開閉される。可動ガイド板１３は、紙への転写・定着等を行いながらカッター動作を可能にするための機構である。開閉のタイミングは、搬送ローラ６の近傍に設けられたジャム検知センサ１０により行われる。つまり、ジャム検知センサ１０がＯＮになると同時に、可動ガイド板１３が下方に開き（１３′）、ループ形成に備える。ジャム検知センサ１０のＯＦＦにより、可動ガイド板１３′を元の位置（１３）に戻し、次の転写紙の搬送に備える。
カットタイミングになると、長尺モード（本体のレジストセンサＯＮ）の場合には、電磁クラッチがＯＦＦして繰り出しローラ３および搬送ローラ５は停止し、カットする。従って、この時には、搬送ローラ６はたるみのある分だけ、搬送を続行できることになる。なお、短尺モード（本体レジストセンサＯＦＦ）の場合には、カットタイミングでモータを停止し、用紙をストップさせてからカットする。なお、短尺モードは、記録開始時、既に用紙１はカットされているが、長尺モードでは、カットされないまま記録を開始する。このため、短尺モードと長尺モードでは、記録開始タイミング（感光体と用紙の位置合わせ）が異なる。この場合、３６４ｍｍ以上を長尺としている。
【０００９】
待機中は、デカールローラ２をフリー状態にして、用紙１を前方に搬送しておく。これにより、待機中にデカールローラ２によって用紙１に癖が付くことを最小限に留めることができる。
受信した画情報を出力する場合には、先ずロール紙１を繰り出しローラ３により引き戻してから、ソレノイドによりデカールローラ２を動作位置まで引き込む。
この時、わずかな力で確実にデカールローラ２を動作位置に引き込むために、ロール紙１の先端はカット位置よりもデカールローラ２側に数ｍｍだけ引き戻された位置で、デカールローラ２を引き込むことが望ましい。すなわち、このプラスアルファの引き戻しが無い状態を考えると、ロール紙１の腰の強さによってはデカールローラ２が所定位置に達せず、デカールの効きが甘くなることにより、先端・後端部での転写抜けが発生したり、デカールローラ２を確実に所定位置に引き込むために、むやみにソレノイドの電流を上昇して電源容量の増加を招くことになるからである。
【００１０】
純正のサプライを使用している場合には、正確にエンドマークの検出ができるが、エンドマークの付いていない、あるいはエンドマークがあっても、純正サプライとその位置が異なっているような場合には、サプライの終端がローラ紙切れ検知センサ８の位置に到達して初めてサプライがなくなることを検知するので、カッター動作により数ｍｍ程度の短冊が発生してしまうこともある。その結果、紙搬送経路上に短冊がそのまま残るおそれもある。
このような不具合を防止するため、ロール紙切れ検知センサ８が黒を検知、つまり純正サプライに印刷されたエンドマークまたは純正サプライ以外の用紙の終端を検知した後、一定長以下での転写紙カット動作を禁止する。すなわち、ロール紙切れ検知センサ８からカッター切断位置までの距離をｌ１として、ロール紙切れ検知センサ８がロール紙終端検知後、ｌ２（わずかな長さだけｌ２＞ｌ１）未満の送り量でカッター１１がロール紙１を切断することを禁止する。このようにすれば、仮に純正サプライ以外の用紙が使用されたとしても、用紙の終端検知後、用紙は必ずｌ２以上の距離だけ搬送された後、カッター１１により切断されることになるので、純正サプライ以外の用紙の終端は切断位置を通過してしまい、カッター１１は空を切ることになって、短冊が発生しない。
【００１１】
上記解決方法における唯一の問題点は、純正サプライを使用する顧客において、用紙搬送開始よりロール紙切れ検知センサ８がエンドマークを検出するまでに送り出した長さｌ3と、画情報の記録のために必要な長さｌ4との間に、次式が成立した場合である。
（ｌ4−ｌ3）＜ｌ2    ・・・・・・・・・・・・・・・・・・・（１）
上式（１）の関係が成立する時には、ロール紙切断により生成される転写紙長
ｌ5がわずかに長くなってしまう。すなわち、次式で示されるように、
ｌ5＝ｌ3＋ｌ2＞ｌ4   ・・・・・・・・・・・・・・・・・・・（２）
ｌ5が上記（２）に示すように、本来必要とされるｌ4より幾分長くなってしまい、その結果、後端部に余白が生じてしまうことである。ただし、当然のことながら、このような不具合が発生し得るのは、エンドマークを検出した最後の１枚においてのみであることは勿論である。
ロール紙切断手段（カッター１１）として、実施例ではシャトルカッターを挙げたが、この他にも、ロータリカッター、挟み式、ギロチン式等でも差し支えない。
【００１２】
図２は、本発明の一実施例を示す給紙装置の制御部の動作フローチャートである。
いま、ロール紙切れ検知センサ８からカッター１１までの距離をｌ１、ｌ１よりもわずかに長い値で、判定基準となる長さを１２、搬送開始からエンドマーク検出までに送り出された長さをｌ３、画情報記録のために必要な長さをｌ４とする。先ず、モータが回転し（ステップ２０）、ロール紙切れ検知センサ８がエンドマーク、つまり‘黒’を検出したか否かを判断し（ステップ２１）、黒を検出せず、かつ画情報記録のために必要な長さｌ４になったか否かを判断し（ステップ２３）、ｌ４の長さになったならば、カッターにより切断する（ステップ２５）。また、ロール紙切れ検知センサ８が‘黒’を検出した場合には、（ｌ４−ｌ３）≧ｌ２であるか否かを判断し（ステップ２２）、そうであれば、余白が生じない場合であるから、ｌ４の長さになったか否かを判断して（ステップ２３）、カッターにより切断する（ステップ２５）。また、（ｌ４−ｌ３）＜ｌ２であれば、ｌ３＋ｌ２の長さになったか否かを判断し（ステップ２４）、その長さになった場合には、カッターにより切断する（ステップ２５）。また、ｌ５＝ｌ３＋ｌ２の長さになるまでモーターを回転させる（ステップ２６）。そして、再度ステップ２４の動作を繰り返し行う。
【００１３】
図３は、本発明のファクシミリ装置における全体構成図である。
図３において、４０は全体を制御するためのシステム制御装置、３０はロール紙給紙ユニット、３１は検知センサ（１）、３２は検知センサ（２）、３３はロール紙切れ検知センサで、図１の８に該当し、３４はジャム検知センサで、図１の１０に該当し、３５はカバーオープン検知センサ、３６はロール紙給紙ユニットのモータのドライバ、３７はモータ、３８はカッター用のドライバ、３９はカッターで、図１の１１に該当し、４１はソレノイドと電磁クラッチのドライバー、４２はソレノイド、４３は電磁クラッチ、４４は紙幅検知センサ、４５は制御装置、４６はポリゴンモーター、４７はメインモータ、４８はレジストセンサ、４９は排紙センサ、５０はペーパーエンドセンサ、５１はカバーオープンセンサ、５２はトナーエンド検知センサ、５３は用紙サイズ検知センサ、５４はドライバ、５５はスキャナーモーター、５６は給紙モーター、５７はトナー給送モーター、５８はパワーパック、５９はドライバ、６０は済スタンプ、６１除電ＬＥＤ、６２は光源、６３は排風ファンモーター、６４は操作パネル、６５は通信制御部、６６は画像メモリ部、６７は画像処理部、６８はＣＣＤである。
【００１４】
図４は、図３のシステム構成を示す外観斜視図である。
図４において、７０は操作パネル、７１は原稿トレイ、７２はＭＤＦボタン、７３は操作パネル解除レバー、７４は前カバー解除レバー、７５は用紙カセット、７６はオプション用給紙ユニット、７７は付属の電話機、７８はワンタッチキー切換プレート、７９は原稿幅ガイド、８０は原稿補助テーブル、８１は用紙トレイ、８２は排紙カバーつまみ、８３は排紙カバーである。
排紙カバー８３は、記録用紙等がつまったとき等に、これを除去するために開く。原稿補助テーブル８０は、セットされた原稿が落下しないように、寸法の長い原稿のときには、中央部分を手前に開けておく。ワンタッチキー切換プレート７８を、左側に倒したり、右側に倒したりすることによって、ワンタッチキーを２倍に増やして利用することができる。給紙ユニット７６は、大きさの異なる種類毎に４段まで設けることができる。前カバー解除レバー７４は用紙がつまったときや、トナーを交換するときに開ける。操作パネル解除レバー７３は、つまった原稿等を取り除くときに開く。ＭＤＦボタン７２は、２つ折りや、厚い原稿等をセットするときに押下する。
【００１５】
このように、本実施例においては、ロール紙切れ検知センサ８からカッター１１までの距離ｌ1よりわずかに長いｌ2という判定基準を設けることにより、純正のサプライを使用する顧客において、エンドマークを検出した最後の１枚の記録紙長が所定長に切断される確率を少しでも高め、その結果、後端余白が長くなった記録紙が出力される発生頻度を少なくする。例えばｌ2＝５０ｍｍ、エンドマーク検出時点における所定長ｌ4＝２９７ｍｍ（Ａ４縦）の場合、（２９７−５０）／２９７≒８３（％）の確率で、２９７ｍｍの記録紙が作成されるはずである。従って、長さｌ2は、カッター１１およびロール紙切れ検知センサ８の取付位置精度、および検知センサの検出のバラツキ等を考慮して、できる限りｌ1に近い長さにすることが望ましい。
【００１６】
【発明の効果】
以上説明したように、本発明によれば、ロール紙切れ検知センサがロール紙の終端を検知した場合でも、用紙搬送経路内に短冊が生成されることがない。また、最後の１枚の記録紙長が所定長に切断される確率を高めることができるので、後端余白が長くなった記録紙の出力される頻度を少なくすることができる。
【図面の簡単な説明】
【図１】本発明の一実施例を示す給紙装置の全体概念図である。
【図２】図１における給紙装置の制御部の動作フローチャートである。
【図３】本発明におけるファクシミリ装置の全体構成図である。
【図４】図３におけるファクシミリ装置の全体外観斜視図である。
【符号の説明】
１…ロール紙、２…デカールローラ、３…搬送ローラ、４…押圧ローラ、
５，６，７…搬送ローラ、８…ロール紙切れ検知センサ、９…検知センサ、
１０…ジャム検知センサ、１１…カッター、１２…ロール紙保持部、
１３…可動ガイド板、１３′…開いた状態の可動ガイド板。
【図１】
0003877341.tif 000002
【図２】
0003877341.tif 000003
【図３】
0003877341.tif 000004
【図４】
0003877341.tif 000005